(57)【要約】【課題】  電力線を伝送する信号の干渉により発生するノイズを防ぎ、安定して電力線を介した信号通信をすることができる信号通信装置を提供する。【解決手段】  コンテンツ信号および音声信号を電力線を介して通信する通信手段と、通信手段から送信する信号を切替える切替手段と、通信手段がコンテンツ信号より音声信号を優先して送信または受信する制御をする制御手段とを備え、制御手段は、切替手段により切替えられた信号を前記通信手段から送信する制御をすることを特徴とする信号通信装置。【選択図】  図１
2008211302.tif 000002
【特許請求の範囲】
【請求項１】
電力線を通信媒体として信号を通信する信号通信装置において、
コンテンツ信号を入力するコンテンツ入力手段と、
音声信号を入力する音声入力手段と、
コンテンツ信号および音声信号を電力線を介して通信する通信手段と、
前記通信手段から送信する信号を切替える切替手段と、
前記切替手段により切替えられた信号を前記通信手段から送信する制御をする制御手段とを備えることを特徴とする信号通信装置。
【請求項２】
電力線を通信媒体として信号を通信する信号通信装置において、
コンテンツ信号を入力するコンテンツ入力手段と、
音声信号を入力する音声入力手段と、
コンテンツ信号および音声信号を電力線を介して通信する通信手段と、
前記通信手段から送信する信号を切替える切替手段と、
前記コンテンツ入力手段から入力されるコンテンツ信号を記憶する記憶手段と、
前記通信手段からコンテンツ信号が送信されているとき、前記切替手段により送信する信号が音声信号に切替えられると、コンテンツ信号の送信を停止する制御をするとともに、送信を停止した後に前記コンテンツ入力手段から入力されるコンテンツ信号を前記記憶手段に記憶する制御をし、前記音声入力手段から入力される音声信号を前記通信手段から送信する制御をする制御手段とを備えることを特徴とする信号通信装置。
【請求項３】
請求項２に記載の信号通信装置において、
前記制御手段は、前記音声入力手段から入力される音声信号の送信が終了すると、前記記憶手段に記憶されたコンテンツ信号を送信する制御をすることを特徴とする信号通信装置。
【請求項４】
請求項２または請求項３に記載の信号通信装置において、
前記制御手段は、前記通信手段からコンテンツ信号が送信されているとき、前記通信手段が音声信号を受信すると、コンテンツ信号の送信を停止させるとともに、送信を停止した後に前記コンテンツ入力手段に入力されるコンテンツ信号を前記記憶手段に記憶する制御をし、前記通信手段が受信する音声信号を再生出力する制御をすることを特徴とする信号通信装置。
【請求項５】
請求項４記載の信号通信装置において、
前記制御手段は、前記通信手段が音声信号の受信を終了すると、前記記憶手段に記憶されたコンテンツ信号を送信する制御をすることを特徴とする信号通信装置。
【請求項６】
電力線を通信媒体として信号を通信する信号通信装置において、
音声信号を入力する音声入力手段と、
音声信号を電力線を介して通信する通信手段と、
前記通信手段から送信する信号を切替える切替手段と、
前記通信手段により受信されるコンテンツ信号を記憶する記憶手段と、
前記記憶手段に記憶されたコンテンツ信号を再生出力する出力手段と、
前記通信手段によりコンテンツ信号が受信されているとき、前記切替手段により送信する信号が音声信号に切替えられると、コンテンツ信号の受信を停止した後に前記音声入力手段から入力される音声信号を前記通信手段から送信する制御をし、音声信号の送信が終了すると停止したコンテンツ信号の受信を再開する制御手段とを備えることを特徴とする信号通信装置。
【請求項７】
請求項６に記載の信号通信装置において、
前記制御手段は、前記通信手段によりコンテンツ信号が受信されているとき、音声信号が受信されると、コンテンツ信号の受信を停止した後に当該音声信号を受信する制御をし、音声信号の受信が終了すると停止したコンテンツ信号の受信を再開する制御をすることを特徴とする信号通信装置。
【請求項８】
請求項１乃至請求項７の何れか１項に記載の信号通信装置において、
前記制御手段は、前記音声入力手段から入力される音声信号を前記通信手段に送信させるとき、音声信号の送信を示す音声送信信号を送信する制御をすることを特徴とする信号通信装置。
【請求項９】
請求項１乃至請求項８の何れか１項に記載の信号通信装置において、
表示手段を更に備え、
前記制御手段は、前記通信手段が前記音声送信信号を受信すると、前記表示手段に音声信号の受信を表示させる制御をすることを特徴とする信号通信装置。
【発明の詳細な説明】
【技術分野】
【０００１】
本発明は、電力線を介して信号を通信する信号通信装置の技術に関する。
【背景技術】
【０００２】
従来、通信媒体として電力線を利用し通信を行なう技術に、電力線搬送通信（PLC：Power Line Communication）がある。この通信機能を有する音響機器では、スピーカケーブルを配線しなくても、家庭内に張り巡らされている電力線を用いてオーディオ信号をスピーカに送信することができる（例えば、特許文献１参照）。
【０００３】
また、この通信機能を利用した他の機器として、家庭内で使用するインターホンがある（例えば、特許文献２参照）。この通信機能を利用したインターホンは、家庭内に張り巡らされている電力線を用いるので、家庭内に専用線の配線をする必要がなく、家庭内の任意の場所に設置し、電力線を介して音声信号を通信することができる。
【０００４】
【特許文献１】特開２００４−２６０２８１号公報
【特許文献２】特開２００３−４６６５４号公報
【発明の開示】
【発明が解決しようとする課題】
【０００５】
現在、日本国内において電力線搬送通信で使用可能な周波数は、１０ｋＨｚから４５０ｋＨｚまで，２ＭＨｚから３０ＭＨｚまでに定められている。このように、使用できる周波数帯域が制限されているため、複数の電力線通信機能を有する機器を家庭内の同一電力線に接続した場合、各々の機器で使用する周波数帯が一致すると、その電力線を伝送する信号に影響をあたえる虞がある。例えば、特許文献１に開示された音響機器が使用されているとき、特許文献２に開示されたインターホンを使用する場合、使用する周波数帯が一致していると、各機器から送信される信号同士が干渉することにより、各機器でノイズが発生する場合がある。また、各機器の間において信号の送受信が不可能になる場合もある。
【０００６】
したがって、音響機器から受信されたオーディオ信号にはノイズが発生し、一方のインターホンから他方のインターホンに受信された音声信号にはノイズが発生する。このため、使用者にとって受信したオーディ信号や音声信号が聞きづらくなる。また、オーディオ信号や音声信号の送受信が不可能になる場合もあるため、電力線搬送通信機能を有する機器を安定して使用することができなくなる。
【０００７】
本発明は、上記の課題を解決するためになされたものであり、電力線を伝送する信号の干渉により発生するノイズを防ぎ、安定して電力線を介した信号通信をすることができる信号通信装置を提供することを特徴とする。
【課題を解決するための手段】
【０００８】
上記の課題を解決するために、本発明における信号通信装置は、電力線を通信媒体として信号を通信する信号通信装置において、コンテンツ信号を入力するコンテンツ入力手段と、音声信号を入力する音声入力手段と、コンテンツ信号および音声信号を電力線を介して通信する通信手段と、前記通信手段から送信する信号を切替える切替手段と、前記切替手段により切替えられた信号を前記通信手段から送信する制御をする制御手段とを備えることを特徴とする。
【０００９】
また、本発明の信号通信装置は、電力線を通信媒体として信号を通信する信号通信装置において、コンテンツ信号を入力するコンテンツ入力手段と、音声信号を入力する音声入力手段と、コンテンツ信号および音声信号を電力線を介して通信する通信手段と、前記通信手段から送信する信号を切替える切替手段と、前記コンテンツ入力手段から入力されるコンテンツ信号を記憶する記憶手段と、前記通信手段からコンテンツ信号が送信されているとき、前記切替手段により送信する信号が音声信号に切替えられると、コンテンツ信号の送信を停止する制御をするとともに、送信を停止した後に前記コンテンツ入力手段から入力されるコンテンツ信号を前記記憶手段に記憶する制御をし、前記音声入力手段から入力される音声信号を前記通信手段から送信する制御をする制御手段とを備えることを特徴とする。
【００１０】
また、この信号通信装置において、前記制御手段は、前記音声入力手段から入力される音声信号の送信が終了すると、前記記憶手段に記憶されたコンテンツ信号を送信する制御をすることを特徴とする。
【００１１】
また、この信号通信装置において、前記制御手段は、前記通信手段からコンテンツ信号が送信されているとき、前記通信手段が音声信号を受信すると、コンテンツ信号の送信を停止させるとともに、送信を停止した後に前記コンテンツ入力手段に入力されるコンテンツ信号を前記記憶手段に記憶する制御をし、前記通信手段が受信する音声信号を再生出力する制御をすることを特徴とする。
【００１２】
また、この信号通信装置において、前記制御手段は、前記通信手段が音声信号の受信を終了すると、前記記憶手段に記憶されたコンテンツ信号を送信する制御をすることを特徴とする。
【００１３】
また、本発明の信号通信装置は、電力線を通信媒体として信号を通信する信号通信装置において、音声信号を入力する音声入力手段と、音声信号を電力線を介して通信する通信手段と、前記通信手段から送信する信号を切替える切替手段と、前記通信手段により受信されるコンテンツ信号を記憶する記憶手段と、前記記憶手段に記憶されたコンテンツ信号を再生出力する出力手段と、前記通信手段によりコンテンツ信号が受信されているとき、前記切替手段により送信する信号が音声信号に切替えられると、コンテンツ信号の受信を停止した後に前記音声入力手段から入力される音声信号を前記通信手段から送信する制御をし、音声信号の送信が終了すると停止したコンテンツ信号の受信を再開する制御手段とを備えることを特徴とする。
【００１４】
また、この信号通信装置において、前記制御手段は、前記通信手段によりコンテンツ信号が受信されているとき、音声信号が受信されると、コンテンツ信号の受信を停止した後に当該音声信号を受信する制御をし、音声信号の受信が終了すると停止したコンテンツ信号の受信を再開する制御をすることを特徴とする。
【００１５】
また、上記の信号通信装置において、前記制御手段は、前記音声入力手段から入力される音声信号を前記通信手段に送信させるとき、音声信号の送信を示す音声送信信号を送信させる制御をすることを特徴とする。
【００１６】
また、上記の信号通信装置において、表示手段をさらに備え、前記制御手段は、前記通信手段が前記音声送信信号を受信すると、前記表示手段に音声信号の受信を表示させる制御をすることを特徴とする。
【発明の効果】
【００１７】
本発明によれば、電力線を伝送される信号の干渉により発生するノイズを防ぎ、安定して電力線を介した信号通信をすることができる信号通信装置を提供することができる。
【発明を実施するための最良の形態】
【００１８】
以下、本発明の実施の形態について図面を参照して説明する。
図１は、本発明の一実施例である信号通信装置の構成を示すブロック図である。図１に示すように、本実施例の信号通信装置１は、コンテンツ入力部１０と、音声入力部１１と、記憶部１２と、信号処理部１３と、出力部１４と、ＰＬＣモデム１５と、制御部１６と、切替部１７と、表示部１８と、プラグ１９とを備える。図１に示す本実施例の信号通信装置１はサラウンドアンプであり、ＣＤプレーヤやチューナ等のコンテンツ出力装置、スピーカシステム、テレビなどが接続されている。
【００１９】
コンテンツ入力部１０は、コンテンツ出力装置から出力されたコンテンツ信号を入力する。入力されたコンテンツ信号は、信号処理部１３に入力される。コンテンツ入力部１０に入力されたコンテンツ信号がアナログ信号である場合、デジタル信号に変換したコンテンツ信号を信号処理部１３に入力する。本実施例では、コンテンツ信号をオーディオ信号として説明する。もちろん、コンテンツ信号がオーディオ信号およびビデオ信号であってもよい。
【００２０】
音声入力部１１は、会話等の音声信号を入力するマイクである。音声入力部１１は、音声信号をマイクにより集音するため、信号通信装置１の筐体に設けられている。記憶部１２は、制御部１６の制御によりコンテンツ入力部１０から入力されたコンテンツ信号を記憶する。信号処理部１３は、コンテンツ入力部１０から入力されるコンテンツ信号、音声入力部１１から入力される音声信号にデコード等の信号処理を施す。また、信号処理部１３は、制御部１６の制御により入力されるコンテンツ信号および音声信号の出力先を切替える。
【００２１】
出力部１４は、図示しないＤＡ変換部および増幅部を備える。出力部１４に備えられたＤＡ変換部は、信号処理部１３から入力されたデジタル信号のコンテンツ信号をアナログ信号に変換する。また、出力部１４に備えられた増幅部は、アナログ信号のコンテンツ信号を増幅する。出力部１４は、増幅されたコンテンツ信号を信号通信装置１に接続されたスピーカシステムに出力する。
【００２２】
ＰＬＣモデム１５は、信号処理部１３から入力される入力信号を送信する。ＰＬＣモデム１５は、信号処理部１３から入力された入力信号を電力線通信信号に変換し、変換した電力線通信信号を交流電源に重畳する。この電力線通信信号は、電力線４を通信媒体として入力信号を送信するために、この入力信号を交流電源に重畳する信号に変調した信号である。ＰＬＣモデム１５に入力される入力信号は、コンテンツ信号または音声信号である。交流電源に重畳された電力線通信信号は、プラグ１９が差し込まれたコンセント５を介して、電力線４に接続されたＰＬＣ機能を有する機器に送信される。
【００２３】
また、ＰＬＣモデム１５は、電力線４に接続されたＰＬＣ機能を有する機器からコンテンツ信号や音声信号を受信する。ＰＬＣモデム１５は、電力線４より入力される交流電源から電力線通信信号を分離し、分離した電力線通信信号を復調する。復調された信号はオーディオ信号または音声信号となり、これらの信号は、信号処理部１３を介して出力部１４から出力される。
【００２４】
制御部１６は、本実施例の信号通信装置１を統括して制御する。制御部１６は、ＰＬＣモデム１５から音声信号を送信する前に、音声信号の送信を示す音声送信信号を送信する制御をする。切替部１７は、ＰＬＣモデム１５から送信する信号をコンテンツ入力部１０から入力されるコンテンツ信号または音声入力部１１から入力される音声信号に切替える操作をするスイッチを備える。この切替部１７は、図示しない操作部に設けられている。この操作部には、切替部１７の他にコンテンツ信号や音声信号の送信先を指定する指定する操作子、音量調整などの信号通信装置１を操作する操作子を備える。表示部１８は、信号通信装置１の動作状態を表示する。
【００２５】
以上、説明したように、本実施例の信号通信装置１は、コンテンツ入力部１０から入力されるコンテンツ信号および音声入力部１１から入力される音声信号を電力線４を介して、ＰＬＣ機能を有する機器に送信することができる。そして、電力線４を介してＰＬＣ機能を有する機器から送信されるコンテンツ信号および音声信号を受信することができる。また、上述した信号通信装置１は、ＣＤプレーヤやチューナ等のコンテンツ出力装置を備えた構成であっても良い。
【００２６】
次に、本実施例の信号通信装置１の設置例について説明する。
図４は、信号通信装置１を含むＰＬＣ機能を有する機器を家庭内に設置する設置例を示す図である。図４に示す設置例では、信号通信装置１が部屋Ａに設置され、ＰＬＣ機能を有する機器である信号通信装置２が部屋Ｂに設置され、ＰＬＣ機能を有するインターホン３が玄関に設置されている。そして、信号通信装置１、信号通信装置２およびインターホン３は、電力線４に接続されている。この設置例において、信号送信装置１は親機となり、信号通信装置２およびインターホン３が子機となる。
【００２７】
図４に示す信号通信装置１は、信号通信装置２にコンテンツ信号を送信し、信号通信装置２およびインターホン３と音声信号の送受信をする。信号通信装置２は、信号通信装置１からコンテンツ信号を受信し、信号通信装置１およびインターホン３と音声信号の送受信をする。この信号通信装置２は、信号通信装置１の他の実施例であり、例えば図２に示すような構成である。
【００２８】
図２は、他の実施例の信号通信装置の構成を示すブロック図である。図２において、図１に示す信号通信装置１と同一の構成要素には同一の符号を付して説明を省略する。図２に示す信号通信装置２は、コンテンツ信号を入力する機能を有しないため、コンテンツ入力部１０を備えない。スピーカシステム２０は、例えばステレオスピーカシステムであり、受信したコンテンツ信号や音声信号を再生出力する。信号通信装置２は、音声入力部１１から入力された音声信号を送信するとき、音声信号を送信する前に音声信号の送信を示す音声送信信号を送信する。
【００２９】
インターホン３はＰＬＣ機能を有し、例えば図３に示すような構成である。図３は、ＰＬＣ機能を有するインターホンの構成を示すブロック図である。図３において、図１に示す信号通信装置１と同一の構成要素には同一の符号を付して説明を省略する。
【００３０】
図３に示すインターホン３において、通話操作部３０は、通話先を指定する操作ボタンと通話を開始する通話開始ボタンを備える。制御部３１は、通話先が指定され通話開始ボタンが押されると、音声入力部１１から入力される音声信号をＰＬＣモデム１５から送信する制御をする。制御部３１は、音声信号を送信する前に、音声信号の送信を示す音声送信信号を送信する制御をする。送信された音声送信信号は、電力線４に接続された信号通信装置１および信号通信装置２に送信される。また、信号通信装置１や信号通信装置２から受信した音声信号を出力する制御をする。増幅部３２は、受信した音声信号を増幅する。スピーカ３３は、増幅された音声信号を出力する。
【００３１】
上述した信号通信装置１、信号通信装置２およびインターホン３では、通話時にハウリングの発生を防止するために、エコーキャンセラーや音声スイッチを備える構成であってもよい。
【００３２】
次に、図４に示す設置例を用いて、コンテンツ信号および音声信号の送受信について説明する。
【００３３】
信号通信装置１において、コンテンツ信号を送信する場合には、切替部１７に設けられたスイッチをコンテンツ信号に切替える。この切替え操作がされると、コンテンツ入力部１０から入力されるコンテンツ信号は、制御部１６の制御により信号処理部１３からＰＬＣモデム１５に入力される。そして、ＰＬＣモデム１５により電力線通信信号に変換された後、操作部により指定された送信先（信号通信装置２）に送信される。
【００３４】
信号通信装置２において、信号通信装置１からコンテンツ信号を受信する場合、受信したコンテンツ信号は、制御部１６の制御により、信号処理され記憶部１２に記憶される。記憶部１２に記憶されたコンテンツ信号は、制御部１６の制御により、記憶部１２から読み出され信号処理部１３を介してスピーカシステム２０から出力される。また、信号通信装置１はコンテンツ信号を受信することもでき、受信されたコンテンツ信号は、制御部１６の制御により、信号処理され記憶部１２に記憶された後、信号処理部１３を介して出力部１４から出力される。
【００３５】
信号通信装置１および信号通信装置２において、音声信号を送信する場合には、切替部１７のスイッチを音声信号に切替える。この切替え操作がされると、音声入力部１１から入力された音声信号は、制御部１６の制御により信号処理部１３からＰＬＣモデム１５に入力される。そして、ＰＬＣモデム１５により電力線通信信号に変換された後、操作部により指定された送信先に送信される。ここで、制御部１６は、音声入力部１１から入力された音声信号を送信する前に、音声信号の送信を示す音声送信信号を送信する制御をする。送信された音声送信信号は、電力線４に接続された信号通信装置１、信号通信装置２、インターホン３に送信される。信号通信装置１は、信号通信装置２およびインターホン３に音声信号を送信して通話をすることができる。信号通信装置２は、信号通信装置１およびインターホン３に音声信号を送信して通話をすることができる。
【００３６】
また、信号通信装置１および信号通信装置２において、音声送信信号および音声信号を受信すると、制御部１６は表示部１８に音声信号の受信を示す表示をする。信号通信装置１に受信した音声信号は、制御部１６の制御により信号処理部１３を介して出力部１４から出力される。同様に、信号通信装置２が受信した音声信号は、制御部１６の制御により信号処理部１３を介してスピーカシステム２０から出力される。表示部１８に表示される音声信号の受信を示す表示としては、音声信号の送信元を示す「玄関からの音声信号受信」等の表示である。また、この表示をするとき、ＬＥＤ等を発光させてもよい。
【００３７】
インターホン３から音声信号を送信する場合には、操作部３０から通話先の指定および通話開始の操作をする。この操作がされると、音声入力部１１から入力される音声信号は、ＰＬＣモデム１５に入力される。そして、ＰＬＣモデム１５により電力線通信信号に変換された後、指定された送信先に送信される。ここで、制御部３１は、音声入力部１２から入力された音声信号を送信する前に、音声信号の送信を示す音声送信信号を送信する制御をする。また、信号通信装置１や信号通信装置２からインターホン３に受信された音声信号は、増幅部３２により増幅されスピーカ３３から再生出力される。
【００３８】
以上、図４に示す設置例では、切替部１７のスイッチをコンテンツ信号に切替えることにより、信号通信装置１から信号通信装置２にコンテンツ信号を送信することができる。
そして、切替部１７のスイッチを音声信号に切替えることにより、信号通信装置１および信号通信装置２から音声信号を送信することができる。
【００３９】
次に、信号通信装置１がコンテンツ信号を送信しているとき、音声信号を送信する本発明の第１実施例について説明する。
【００４０】
信号通信装置１において、コンテンツ信号を信号通信装置２に送信しているときに、切替部１７のスイッチを音声信号に切替えると、制御部１６は、音声送信信号を送信する制御をするとともに、コンテンツ信号の送信を停止する制御をする。そして、送信を停止した後にコンテンツ入力部１０から入力され信号処理部１３により信号処理されたコンテンツ信号を記憶部１２に記憶する制御し、音声入力部１１から入力された音声信号を操作部により指定された送信先に送信する制御をする。
【００４１】
音声入力部１１から入力された音声信号は、制御部１６の制御によりＰＬＣモデム１５から指定された送信先に送信される。切替部１７のスイッチがコンテンツ信号に切替えられ通話が送信を終了すると、制御部１６は、記憶部１２に記憶されたコンテンツ信号をコンテンツ信号の送信が停止される前に送信されていた送信先である信号通信装置２に送信を再開する制御をする。
【００４２】
記憶部１２に記憶されたコンテンツ信号は、制御部１６の制御により記憶部１２から読み出され、信号通信装置２に送信される。本実施例において、記憶部１２に記憶するコンテンツ信号は、信号処理されていないコンテンツ信号であってもよい。この場合、記憶部１２から読み出されたコンテンツ信号は、信号処理部１３により信号処理された後、ＰＬＣモデム１５から送信される。
【００４３】
このように、本発明の第１実施例における信号通信装置１は、コンテンツ信号を送信しているときに、切替部１７のスイッチが音声信号に切替えられると、コンテンツ信号の送信から音声信号の送信に切替えるために、コンテンツ入力部１０から入力されたコンテンツ信号を記憶部１２に記憶し、音声入力部１１から入力された音声信号を送信する。そして、音声信号の送信先との通話が終了すると、コンテンツ信号の送信が停止される前に送信されていた送信先に記憶部１２に記憶されたコンテンツ信号を送信する。
【００４４】
したがって、信号通信装置１から送信するコンテンツ信号と音声信号が干渉することを防ぐことができる。さらに、音声信号の送信を優先させるために、コンテンツ信号の送信を停止させても、その間に入力されるコンテンツ信号を記憶することにより、入力されたコンテンツ信号の一部分が欠損することなく送信することができる。
【００４５】
次に、信号通信装置１がコンテンツ信号を送信しているとき、音声信号を受信する本発明の第２実施例について説明する。
【００４６】
信号通信装置１において、信号通信装置２にコンテンツ信号を送信しているときに、音声送信信号を受信すると、制御部１６は、コンテンツ信号の送信を停止する制御をするとともに、送信を停止した後にコンテンツ入力部１０から入力され、信号処理部１３により信号処理されたコンテンツ信号を記憶部１２に記憶する制御をする。また、制御部１６は、表示部１８に音声信号の受信を示す表示をする制御をする。このとき、ＬＥＤ等を発光させる制御をしてもよい。そして、制御部１６は、受信した音声信号を信号処理部１３を介して出力部１４から出力する制御をする。
【００４７】
切替部１７のスイッチがコンテンツ信号に切替えられ通話が終了すると、制御部１６は、記憶部１２に記憶されたコンテンツ信号の送信を再開する制御をする。記憶部１２に記憶されたコンテンツ信号は、制御部１６の制御により記憶部１２から読み出され、ＰＬＣモデム１５から信号通信装置２に送信される。本実施例において、記憶部１２に記憶するコンテンツ信号は、信号処理されていないコンテンツ信号であってもよい。この場合、記憶部１２から読み出されたコンテンツ信号は、信号処理部１３により信号処理された後、ＰＬＣモデム１５から送信される。
【００４８】
このように、本発明の第２実施例における信号通信装置１は、コンテンツ信号を送信しているときに音声送信信号を受信すると、コンテンツ信号の送信から音声信号の受信に切替えるために、コンテンツ入力部１０から入力されたコンテンツ信号を記憶部１２に記憶し、受信した音声信号を出力部１４から出力する。そして、音声信号の送信元との通話が終了すると、記憶部１２に記憶されたコンテンツ信号を信号通信装置２に送信する。
【００４９】
したがって、信号通信装置１から送信するコンテンツ信号と受信する音声信号が干渉することを防ぐことができる。さらに、音声信号の受信を優先させるために、コンテンツ信号の送信を停止させても、その間に入力されるコンテンツ信号を記憶することにより、入力されたコンテンツ信号の一部分が欠損することなく送信することができる。
【００５０】
次に、信号通信装置２がコンテンツ信号を受信しているとき、音声信号を送信する本発明の第３実施例について説明する。
【００５１】
信号通信装置２において、信号通信装置１からコンテンツ信号を受信しているときに、切替部１７のスイッチを音声信号に切替えると、制御部１６は、コンテンツ信号の送信元である信号通信装置１に音声送信信号を送信する制御をする。本発明の第２実施例において説明したように、信号通信装置１は、コンテンツ信号を送信しているときに音声送信信号を受信すると、コンテンツ信号の送信を停止するため、信号通信装置２では信号通信装置１からのコンテンツ信号の受信が停止する。制御部１６は、コンテンツ信号の受信が停止した後、音声入力部１１から入力される音声信号を操作部により指定された送信先に送信する制御をする。
【００５２】
切替部１７のスイッチがコンテンツ信号に切替えられ通話を終了すると、制御部１６は、信号通信装置１にコンテンツ信号の送信を再開させる制御をする。信号処理装置１から送信されたコンテンツ信号を受信すると、受信されたコンテンツ信号は、制御部１６の制御により信号処理部１３により信号処理され記憶部１２に記憶される。記憶部１２に記憶されたコンテンツ信号は、信号処理部１３を介してスピーカシステム２０から出力される。
【００５３】
このように、本発明の第３実施例における信号通信装置２は、コンテンツ信号を受信しているときに、切替部１７のスイッチが音声信号に切替えられると、コンテンツ信号の受信から音声信号の送信に切替え、コンテンツ信号の受信が停止した後、音声入力部１１から入力された音声信号を送信する。そして、音声信号の送信先との通話が終了すると、コンテンツ信号の受信を再開する。
【００５４】
したがって、信号通信装置２は、受信するコンテンツ信号と送信する音声信号が干渉することを防ぐことができる。さらに、音声信号の送信を優先させるために、コンテンツ信号の受信が停止しても、信号通信装置１から停止した位置からコンテンツ信号を受信することができ、受信されたコンテンツ信号の一部分を欠損させることがない。また、信号通信装置２では、受信したコンテンツ信号を記憶部１２に記憶させるので、記憶部１２に記憶されたコンテンツ信号が全て読み出される前に通話が終了すれば、コンテンツ信号が途切れることなく出力することができる。
【００５５】
次に、信号通信装置２がコンテンツ信号を受信しているとき、音声信号を受信する本発明の第４実施例について説明する。
【００５６】
信号通信装置２において、信号通信装置１からコンテンツ信号を受信しているときに音声送信信号を受信すると、制御部１６は、信号通信装置１にコンテンツ信号の送信を停止させる制御をする。また、制御部１６は、表示部１８に音声信号の受信を示す表示をする制御をする。このとき、ＬＥＤ等を発光させる制御をしてもよい。そして、制御部１６は、受信した音声信号を信号処理部１３を介してスピーカシステム２０から出力する制御をする。
【００５７】
切替部１７のスイッチがコンテンツ信号に切替えられ通話を終了すると、制御部１６は、信号通信装置１にコンテンツ信号の送信を再開させる制御をする。信号処理装置１から送信されたコンテンツ信号を受信すると、受信されたコンテンツ信号は、制御部１６の制御により信号処理部１３により信号処理され記憶部１２に記憶される。記憶部１２に記憶されたコンテンツ信号は、信号処理部１３を介してスピーカシステム２０から出力される。
【００５８】
このように、本発明の第４実施例における信号通信装置２は、コンテンツ信号を受信しているときに、音声送信信号を受信すると、コンテンツ信号の受信から音声信号の受信に切替え、コンテンツ信号の受信が停止した後、音声信号を受信し再生出力する。そして、音声信号の送信元との通話が終了すると、コンテンツ信号の受信を再開する。
【００５９】
したがって、信号通信装置２は、受信するコンテンツ信号と音声信号が干渉することを防ぐことができる。さらに、音声信号の受信を優先させるために、コンテンツ信号の受信が停止しても、信号通信装置１から停止した位置からコンテンツ信号を受信することができ、受信されたコンテンツ信号の一部分を欠損させることがない。また、信号通信装置２では、受信したコンテンツ信号を記憶部１２に記憶させるので、記憶部１２に記憶されたコンテンツ信号が全て読み出される前に通話が終了すれば、コンテンツ信号が途切れることなく再生出力することができる。
【００６０】
以上説明したように、本実施例の信号通信装置は、家庭内に設置されたＰＬＣ機能を有する機器と使用する周波数帯が一致する場合でも、送受信する信号同士による干渉がなくなるので、送受信されたコンテンツ信号や音声信号にノイズが発生することを防ぐことができる。また、本実施例の信号通信装置は、オーディオ信号や音声信号の送受信が不可能になることも防ぐことができるため、安定して使用することができる。
【図面の簡単な説明】
【００６１】
【図１】本発明の一実施例である信号通信装置の構成を示すブロック図。
【図２】他の実施例の信号通信装置の構成を示すブロック図。
【図３】ＰＬＣ機能を有するインターホンの構成を示すブロック図。
【図４】ＰＬＣ機能を有する機器の設置する設置例を示す図。
【符号の説明】
【００６２】
１…信号通信装置、２…信号通信装置、３…インターホン、４…電力線、５…コンセント、１０…コンテンツ入力部、１１…音声入力部、１２…記憶部、１３…信号処理部、１４…出力部、１５…ＰＬＣモデム、１６…制御部、１７…切替部、１８…表示部、１９…プラグ、２０…スピーカシステム、３０…通話操作部、３１…制御部、３２…増幅部、３３…スピーカシステム
【図１】
2008211302.tif 000003
【図２】
2008211302.tif 000004
【図３】
2008211302.tif 000005
【図４】
2008211302.tif 000006